(57)【要約】【課題】悪意の侵入者に対してはその警戒心を高め、善意の訪問者に対して不快感を与えない。【解決手段】ミラーシステムは、住宅１の戸外であって住宅１に隣接する道路２に面する箇所に設置されるエントランスポール１１を備えるエントランスポールシステムであって、このエントランスポール１１が、筐体２１と、筐体２１の少なくとも一側面に設けられたハーフミラー２２ａ、２２ｂと、筐体２１に収納された第１の光源２４とを少なくとも備える。【選択図】図３
2009235721.tif 000002
【特許請求の範囲】
【請求項１】
住宅の戸外であって前記住宅に隣接する道路に面する箇所に設置されるミラーシステムであって、
筐体と、
前記筐体の少なくとも一側面に設けられたハーフミラーと、
前記筐体に収納された第１の光源と
を備えることを特徴とするミラーシステム。
【請求項２】
前記筐体の総ての側面に前記ハーフミラーが設けられていることを特徴とする請求項１記載のミラーシステム。
【請求項３】
前記住宅への往来に使用する通路に面して設置された請求項１又は２に記載のミラーシステムと、
前記筐体の側面に設けられた表札板とを備え、
前記第１の光源が放つ光の一部が前記ハーフミラーを透過することにより前記通路を照明する
ことを特徴とするエントランスポールシステム。
【請求項４】
前記第１の光源が放つ光の一部が前記ハーフミラーを透過することにより前記表札板に記載された画像が前記ハーフミラー上に映写され、前記第１の光源の点灯状態と消灯状態を切換えることにより前記表札板に記載された画像を表示するか否かを制御することを特徴とする請求項３に記載のエントランスポールシステム。
【請求項５】
前記第１の光源の点灯状態と消灯状態を切換える第１の電源スイッチを更に備えることを特徴とする請求項３又は４に記載のエントランスポールシステム。
【請求項６】
前記第１の電源スイッチは、手動によって動作することを特徴とする請求項５に記載のエントランスポールシステム。
【請求項７】
時間又は時刻を計時する計時部と、
所定の時間又は時刻を計時した時に前記第１の電源スイッチを切換えるスイッチ操作部と
を備えることを特徴とする請求項５に記載のエントランスポールシステム。
【請求項８】
前記筐体内の空間を前記第１の光源が配置された第１の空間と第２の空間に分割する仕切壁と、
前記第２の空間に配置された第２の光源とを更に備え、
前記仕切壁は、第１の空間と第２の空間の間で光を遮蔽し、
第２の光源が放つ光の一部が前記ハーフミラーを透過することにより前記表札板に記載された画像が前記ハーフミラー上に映写される
ことを特徴とする請求項３又は５から７のいずれか一項に記載のエントランスポールシステム。
【発明の詳細な説明】
【技術分野】
【０００１】
本発明は、住宅の戸外であって住宅に隣接する道路に面する箇所に設置されるミラーシステム及びエントランスポールシステムに関する。
【背景技術】
【０００２】
住宅などの玄関先や庭先に設置される、訪問者が戸内に案内を請うための呼び鈴やドアホン装置を備えるエントランスポールが知られている。このエントランスポールは、例えば、柱状の筐体の頂部に照明ランプを備え付け、夜間の訪問者のために周囲をライトアップする。
【０００３】
しかし、この照明ランプはエントランスポール自体を照明しないので、筐体の側面に備え付けたドアホン装置や呼び鈴の位置を訪問者が確認しづらいという問題があった。
【０００４】
そこで、頂部に照明ランプを備え、壁面にドアホン装置を設けたエントランスポールにおいて、裏面が反射面である反射板がドアホン装置よりも上方に固定され、照明ランプの光が反射板で反射してドアホン装置に照射されるものが提案されている（特許文献１参照）。これにより、ドアホン装置の位置や操作盤などを容易に確認することが可能となる。
【特許文献１】特開平０８−２６０７５７号公報
【発明の開示】
【発明が解決しようとする課題】
【０００５】
ところで、住宅の戸外に設置された鏡は、人目を気にしながら侵入しようとする者の警戒心を高め、侵入を思い留まらせる一定の効果（侵入抑止効果）を有する。しかし、上記のエントランスポールが有する反射板の表面には反射面は形成されていないので、上記の効果が得られない。また、住宅の戸外に設置された鏡は、その一方で、家人や善意の訪問者に対しては監視されているという意識が高まり不快感を与えてしまうというデメリットも有している。
【０００６】
本発明は、上記問題点に鑑みて成されたものであり、その目的は、悪意の侵入者に対してはその警戒心を高め、善意の訪問者に対して不快感を与えないミラーシステム及びエントランスポールシステムを提供することである。
【課題を解決するための手段】
【０００７】
本発明の第１の特徴は、住宅の戸外であって住宅に隣接する道路に面する箇所に設置されるミラーシステムであって、このミラーシステムが、筐体と、筐体の少なくとも一側面に設けられたハーフミラーと、筐体に収納された第１の光源とを備えることである。
【０００８】
本発明の第１の特徴によれば、第１の光源の点灯及び消灯によって筐体の内から外へ透過する光の強度と調整することができるので、ハーフミラーを鏡として使用する場合とそうではない場合とを使い分けることができる。よって、悪意の侵入者に対してはその警戒心を高め、善意の訪問者に対して隣接道路を照明して不快感を与えないミラーシステムを提供することができる。
【０００９】
本発明の第１の特徴において、筐体の総ての側面にハーフミラーを設けてもよい。これにより、反射面が増えるので侵入者の警戒心を更に高めることができる。
【００１０】
本発明の第２の特徴は、住宅への往来に使用する通路に面して設置された上記のミラーシステムと、筐体の側面に設けられた表札板を備えるエントランスポールシステムであって、第１の光源が放つ光の一部がハーフミラーを透過することにより通路を照明することである。
【００１１】
本発明の第２の特徴によれば、住宅への往来に使用する通路が照明されるので、例えば夜間において家人や善意の訪問者の足下が明るくなり、安全に往来することができる。
【００１２】
本発明の第２の特徴において、第１の光源が放つ光の一部がハーフミラーを透過することにより表札板に記載された画像がハーフミラー上に映写され、第１の光源の点灯状態と消灯状態を切換えることにより表札板に記載された画像を表示するか否かを制御してもよい。これにより、第１の光源の点灯及び消灯を制御すれば、表札の画像（表札名）をハーフミラー上に映し出し、或いは表札名を伏せて鏡として機能させることができる。
【００１３】
本発明の第２の特徴において、エントランスポールシステムが、第１の光源の点灯状態と消灯状態を切換える第１の電源スイッチを更に備えていてもよい。第１のスイッチを切換えることにより、ハーフミラーを鏡として使用する状態と、往来時の照明として使用する状態とを切換えることができる。
【００１４】
本発明の第２の特徴において、第１の電源スイッチを手動によって動作可能とすれば、家人などは、第１のスイッチを操作することにより、ハーフミラーを鏡として使用する状態と、往来時の照明として使用する状態とを使い分けることができる。
【００１５】
本発明の第２の特徴において、エントランスポールシステムは、時間又は時刻を計時する計時部と、所定の時間又は時刻を計時した時に第１の電源スイッチを切換えるスイッチ操作部とを更に備えていてもよい。所定の時間又は時刻を計時すれば、家人などが操作することなく、ハーフミラーを鏡として使用する状態と、往来時の照明として使用する状態とが切り替わり、ユーザの利便性が向上する。
【００１６】
本発明の第２の特徴において、エントランスポールシステムは、筐体内の空間を第１の光源が配置された第１の空間と第２の空間に分割する仕切壁と、第２の空間に配置された第２の光源とを更に備え、仕切壁は、第１の空間と第２の空間の間で光を遮蔽し、第２の光源が放つ光の一部がハーフミラーを透過することにより表札板に記載された画像がハーフミラー上に映写されるようにしてもよい。これにより、第１の光源の点灯／消灯とは無関係に、第２の光源の点灯及び消灯を制御すれば、表札の画像（表札名）をハーフミラー上に映し出し、或いは表札名を伏せて鏡として機能させることができる。
【発明の効果】
【００１７】
本発明によれば、悪意の侵入者に対してはその警戒心を高め、善意の訪問者に対して不快感を与えないミラーシステム及びエントランスポールシステムを提供することができる。
【発明を実施するための最良の形態】
【００１８】
以下図面を参照して、本発明の実施形態を説明する。図面の記載において同一部分には同一符号を付して説明を省略する。
（第１の実施の形態）
先ず、図１を参照して、本発明の第１の実施の形態に係わるエントランスポールシステムが備えるエントランスポール１１の設置例を説明する。エントランスポール１１は、住宅１の戸外であって住宅１に隣接する道路２（前面道路）に面する箇所に設置される。具体的には、敷地３内に住宅１が建築され、敷地３の一端が道路２に面している。住宅の出入り口（玄関）に玄関扉４が取り付けられ、住宅１への往来に使用する通路６が玄関扉４と道路２とを繋ぐように敷地３内に形成されている。
【００１９】
エントランスポール１１は、住宅１の戸外であって道路２に面する敷地３の一端に設置されている。また同時に、エントランスポール１１は通路６にも面している。このように、エントランスポール１１は、住宅１の戸外であって、敷地３に隣接する道路２及び住宅１への往来に使用する通路６に同時に面する敷地３の一端に設置されている。
【００２０】
道路２に面する敷地３の一端のうち、通路６及びエントランスポール１１が設けられていない部分には生垣５が設置されている。
【００２１】
次に、図２を参照して、図１のエントランスポール１１の概略構成を説明する。エントランスポール１１は、道路２に面する第１の側面及び通路６に面する第２の側面を有する筐体２１と、筐体２１の第１の側面に設けられた道路側ハーフミラー２２と、筐体２１の第２の側面に設けられた通路側ハーフミラー２３とを備える。
【００２２】
なお、ここでは、筐体２１の二側面各々にハーフミラー（２２、２３）が設けられている場合について説明するが、ハーフミラーは少なくとも道路側又は通路側のいずれか一方の側面に設けられていればよい。また、筐体２１の総ての側面（四側面）各々にハーフミラーが設けられているエントランスポールについては図５を参照して後述する。
【００２３】
また、筐体２１が正方形の底面及び上面と、底面と上面に垂直に交わる４つの側面を有する直方体の形状を有する場合について説明するが、筐体の形状はこれに限定されない。筐体は、ハーフミラーが設けられた少なくとも１つの平坦な側面を有していれば、その他の多角柱又は多面体、或いは一部に曲面を有する多角柱や多面体であっても構わない。
【００２４】
次に、図３（ａ）を参照して、図２のＡ−Ａ切断面におけるエントランスポール１１の内部構成を説明する。エントランスポール１１の筐体２１は柱状であり、エントランスポール１１は、筐体２１に収納された第１の光源２４を備える。また、エントランスポール１１は、筐体２１内の空間を第１の光源２４が配置された第１の空間ＳＰ１と第２の空間ＳＰ２に分割する仕切壁２８と、第２の空間ＳＰ２に配置された第２の光源２５とを更に備える。仕切壁２８は、筐体２１内の空間を高さ方向に二分割し、第１の空間ＳＰ１と第２の空間ＳＰ２の間で光を遮蔽する。
【００２５】
道路側ハーフミラー２２は、第１の空間ＳＰ１に面する第１の道路側ハーフミラー２２ａと、第２の空間ＳＰ２に面する第２の道路側ハーフミラー２２ｂとからなる。なお、道路側ハーフミラー２２は、仕切壁２８を境にして上下方向に２つの部材に分割されているが、これに限らず、道路側ハーフミラーを一体物として構成しても構わない。
【００２６】
第１の道路側ハーフミラー２２ａは、第１の光源２４が放つ光の一部反射し、他の一部を透過する機能を備えるので、第１の道路側ハーフミラー２２ａを透過する一部の光によってエントランスポール１１の周囲を照明することができる。
【００２７】
同様に、第２の道路側ハーフミラー２２ｂは、第２の光源２５が放つ光の一部反射し、他の一部を透過する機能を備えるので、第２の道路側ハーフミラー２２ｂを透過する一部の光によってエントランスポール１１の周囲を照明することができる。更に、第２の道路側ハーフミラー２２ｂと第２の光源２５との間には、光の透過率を変化させることにより居住者の名の画像を表示可能な表札板２６が設置されている。ここでは、第２の道路側ハーフミラー２２ｂの内面に表札板２６が貼り付けられている場合を示しているが、両者は離間していても構わない。
【００２８】
表札板２６は、第２の光源２５が放つ光を透過し、透過する際に光を拡散する半透過性の板である。例えば、表札板２６のうち居住者の名の画像部分だけを黒色にして光の透過率を下げれば、居住者の名の画像部分が暗くなり、その他の下地部分が明るくなる。よって、第２の光源２５が放つ光の一部が表札板２６及び第２の道路側ハーフミラー２２ｂを透過することにより表札板２６に記載された画像が第２の道路側ハーフミラー２２ｂ上に映写される。
【００２９】
第２の空間ＳＰ２の上部には訪問者が戸内に案内を請うために使用するインターホン子機２７が備え付けられている。
【００３０】
次に、図３（ｂ）〜図３（ｄ）を参照して、第１の光源２４及び第２の光源２５をオン状態とオフ状態でそれぞれ切換えた場合における図２の道路側ハーフミラー（２２ａ、２２ｂ）の外観の変化を説明する。
【００３１】
図３（ｂ）は、第１の光源２４をオフ状態とし、第２の光源２５をオン状態とした場合を示す。第１の光源２４をオフすることにより、例えば日中において第１の空間ＳＰ１内が外部よりも暗くなれば、第１の道路側ハーフミラー２２ａを筐体２１の内側から外側へ透過する光の強度が、外側から外側へ反射する光の強度よりも弱くなる。よって、第１の道路側ハーフミラー２２ａは、筐体２１の外部に居る人や物を映し出すことができる。
【００３２】
また、第２の光源２５をオンすることにより、例えば日中において第２の空間ＳＰ２内が外部よりも明るくなれば、第２の道路側ハーフミラー２２ｂを筐体２１の内側から外側へ透過する光の強度が、外側から外側へ反射する光の強度よりも強くなる。よって、第２の道路側ハーフミラー２２ｂは、第２の光源２５が放つ光を透過させてエントランスポール１１の周囲を照明することができ、同時に、表札板２６に記載された画像（例えば、居住者の名「鈴木」）を映写することができる。
【００３３】
なお、表札板２６に記載された画像を映写する第２の道路側ハーフミラー２２ｂと同じ側面（第１の側面）には、インターホン子機２７の構成部材としてのマイク付スピーカ３１及び呼び鈴３２が設置されている。訪問者は、表札板２６に記載された居住者の名を確認した上で戸内に案内を請うことができる。
【００３４】
図３（ｃ）は、第１の光源２４及び第２の光源２５を共にオフ状態とした場合を示す。この場合、第１の道路側ハーフミラー２２ａは、筐体２１の外部に居る人や物を映し出す。そして、第２の道路側ハーフミラー２２ｂは、第１の道路側ハーフミラー２２ａと同様にして、筐体２１の外部に居る人や物を映し出すが、表札板２６に記載された画像を映写しない。このように、第２の光源２５のオン／オフを切換えることにより、表札板２６に記載された居住者の名を表示させたり、伏せたりを自由に制御することができる。
【００３５】
図３（ｄ）は、第１の光源２４及び第２の光源２５を共にオン状態とした場合を示す。第１の光源２４をオンすることにより、例えば夜間において第１の空間ＳＰ１内が外部よりも明るくなれば、第１の道路側ハーフミラー２２ａを筐体２１の内側から外側へ透過する光の強度が、外側から外側へ反射する光の強度よりも強くなる。よって、第１の道路側ハーフミラー２２ａは、第１の光源２４が放つ光を透過させてエントランスポール１１の周囲を照明することができる。そして、第２の道路側ハーフミラー２２ｂは、第１の道路側ハーフミラー２２ａと同様にして、第２の光源２５が放つ光を透過させてエントランスポール１１の周囲を照明することができ、同時に、表札板２６に記載された画像（例えば、居住者の名「鈴木」）を映写することができる。
【００３６】
なお、図３（ｂ）〜図３（ｄ）では、図２の道路側ハーフミラー（２２ａ、２２ｂ）の外観の変化を説明したが、同様な外観の変化は、図２の通路側ハーフミラー２３においても生じる。すなわち、通路側ハーフミラー２３は、光源（２４、２５）が放つ光の一部反射し、他の一部を透過する機能を備えるので、光源（２４、２５）がオン状態であれば、光源（２４、２５）が放つ光を透過させてエントランスポール１１の周囲を照明し、光源（２４、２５）がオフ状態であれば、筐体２１の外部に居る人や物を映し出す鏡となる。
【００３７】
次に、図４の全体構成を参照して、第１の実施の形態に係わるエントランスポールシステムが備える他の構成部材について説明する。第１の実施の形態に係わるエントランスポールシステムは、戸内に設置されたインターホン親機３５、表札スイッチ（第２の電源スイッチ）３６及び足下灯スイッチ（第１の電源スイッチ）３７を更に備える。インターホン親機３５、表札スイッチ３６及び足下灯スイッチ３７の各々は、戸外に設置されたエントランスポール１１に電気的に接続されている。接続配線を地面（Ｇ．Ｌ．）よりも低い位置を設置すれば、地上に露出させずに接続することができる。
【００３８】
インターホン親機３５はインターホン子機２７との間で音声信号及び映像信号の送受信を行い、訪問者と家人は、インターホン親機３５及びインターホン子機２７を介して通話することができる。表札スイッチ３６は、第２の光源２５のオン／オフを切換えるスイッチであり、足下灯スイッチ３７は、第１の光源２４のオン／オフを切換えるスイッチである。表札スイッチ３６及び足下灯スイッチ３７は、手動により操作される。
【００３９】
以上説明したように、本発明の第１の実施の形態によれば、以下の作用効果が得られる。
【００４０】
光源（２４、２５）の点灯（オン）及び消灯（オフ）によって筐体２１の内側から外側へハーフミラー（２２ａ、２２ｂ、２３）を透過する光の強度を調整することができるので、ハーフミラー（２２ａ、２２ｂ、２３）を鏡として使用する場合とそうではない場合（例えば、照明部材或いは表札表示部）とを使い分けることができる。よって、悪意の侵入者に対してはその警戒心を高め、善意の訪問者に対して不快感を与えないことができる。更に、鏡として使用する場合、訪問者及び外出する家人は、身だしなみのチェックにハーフミラー（２２ａ、２２ｂ、２３）を用いることができる。
【００４１】
エントランスポール１１は住宅１への往来に使用する通路６に面して設置され、光源（２４、２５）が放つ光の一部が通路側ハーフミラー２３を透過することにより通路６を照明する。これにより、例えば夜間において家人や善意の訪問者の足下が明るくなり、安全に往来することができる。
【００４２】
足下灯スイッチ３７のオン／オフを切換えることにより、第１の光源２４の点灯（オン）状態と消灯（オフ）状態が変化し、ハーフミラー（２２ａ、２２ｂ、２３）を鏡として使用する状態と、往来時の足下照明として使用する状態とを切換えることができる。
【００４３】
足下灯スイッチ３７は手動によって操作可能であるので、家人などは、足下灯スイッチ３７を操作することにより、ハーフミラー（２２ａ、２２ｂ、２３）を鏡として使用する状態と、往来時の足下照明として使用する状態とを使い分けることができる。
【００４４】
仕切壁２８により第１の空間ＳＰ１と第２の空間ＳＰ２の間で光が遮蔽されるので、第１の光源２４の点灯／消灯とは無関係に、第２の光源２５の点灯及び消灯を制御すれば、表札の画像（表札名）を第２の道路側ハーフミラー２２ｂ上に映し出し、或いは表札名を伏せて鏡として機能させることができる。
（第１の変形例）
第１の変形例では、図５を参照して、筐体２１の総ての側面（四側面）各々にハーフミラーが設けられているエントランスポール１１ｂについて説明する。エントランスポール１１ｂは、エントランスポール１１に比べて、筐体２１の第１及び第２の側面の各々に対向する二側面に設置された２つのハーフミラー４５、４６を更に備える点で相違する。その他、敷地３内における配置場所、内部構成、接続配線は、図１、図３及び図４のエントランスポールシステムと同じである。
【００４５】
このように、筐体２１の総ての側面にハーフミラーがそれぞれ設けられていることにより、反射面が増えるので侵入者の警戒心を更に高めることができる。また、エントランスポール１１ｂ周囲のより広い範囲を照明することができる。
（第２の変形例）
図４の例では、手動により操作される表札スイッチ３６及び足下灯スイッチ３７を示したが、これらのスイッチは、所定の時間や時刻に応じて自動でオン／オフを切換えてもよい。この場合、エントランスポールシステムは、図６に示すように、例えば、時間又は時刻を計時する計時部３９と、所定の時間又は時刻を計時した時に足下灯スイッチ３７ｂ及び表札スイッチ３６ｂを切換えるスイッチ操作部３８とを更に備える。
【００４６】
計時部３９は、現在時刻や予め設定された時間を計時し、所定の時刻又は設定された時間を計時した時点で、スイッチ切換え信号をスイッチ操作部３８へ送信し、スイッチ操作部３８は、スイッチ切換え信号にしたがって、表札スイッチ３６ｂ又は足下灯スイッチ３７ｂを切換える。
【００４７】
これにより、所定の時間又は時刻を計時すれば、家人などが操作することなく、エントランスポール１１が備えるハーフミラーを鏡として使用する状態と、往来時の足下照明として使用する状態とが切り替わり、ユーザの利便性が向上する。
【００４８】
なお、計時部３９は足下灯スイッチ３７ｂ及び表札スイッチ３６ｂのそれぞれについて異なるスイッチ切換え信号を送信し、スイッチ操作部３８は、表札スイッチ３６ｂ及び足下灯スイッチ３７ｂを個別に切換えることができる。よって、第１の光源２４と第２の光源２５とを個別にオン／オフ制御することができる。また、計時部３９が計時する所定の時刻や時間は、予めユーザによって設定すればよい。
（第２の実施の形態）
第２の実施の形態では、人が住宅１へ往来する回数をカウントし、その回数を表示することができるエントランスポール１１ｃについて説明する。
【００４９】
エントランスポール１１ｃは、図１のエントランスポール１１と同様に、住宅１の戸外であって、敷地３に隣接する道路２及び住宅１への往来に使用する通路６に同時に面する敷地３の一端に設置されている。
【００５０】
また、エントランスポール１１ｃは、図２のエントランスポール１１と同様に、道路２に面する第１の側面及び通路６に面する第２の側面を有する筐体２１と、筐体２１の第１の側面に設けられた道路側ハーフミラー２２と、筐体２１の第２の側面に設けられた通路側ハーフミラー２３とを備える。
【００５１】
次に、図７（ａ）を参照して、図２のＢ−Ｂ切断面におけるエントランスポール１１ｃの内部構成を説明する。エントランスポール１１ｃは、図３（ａ）のエントランスポール１１と比べて、第１の空間ＳＰ１と仕切壁２８の間に設置された表示装置４１及び往来カウント部４２と、筐体２１の頂部に設置された人感センサ４３とを更に備える。また、通路側ハーフミラー２３は、第１の空間ＳＰ１に面する第１の通路側ハーフミラー２３ａと、第２の空間ＳＰ２に面する第２の通路側ハーフミラー２３ｂとからなる。
【００５２】
人感センサ４３は通路６方向に感度領域を有し、通路６を通過する人を検出する度に検出信号を往来カウント部４２へ送信する。往来カウント部４２は、検出信号を受信する度に、自らが備えるカウンターをインクリメントし、カウンター値のデータ信号を表示装置４１へ送信する。表示装置４１は、受信したカウンター値のデータ信号に従ってカウンター値を表示する。
【００５３】
図７（ｂ）は、エントランスポール１１ｃの通路側ハーフミラー２３ａ、２３ｂが設置された側面を示す。ここでは、第１の光源２４及び第２の光源２５を共に点灯されている状態を示している。表示装置４１には、往来カウント部４２から受信したカウンター値のデータ信号に従ってカウンター値、例えば「ＣＯＵＮＴ  ３」と表示する。このように、住宅１への往来回数をエントランスポール１１ｃに表示することにより、人目を気にしながら侵入しようとする者の警戒心を高め、侵入を思い留まらせる侵入抑止効果が得られる。
【００５４】
表示装置４１には、現在時刻及び外部の気温やＣＯ2濃度や地域内の連絡事項など他の情報を併せて表示してもよい。このような他の情報を表示すれば、近隣住民とのコミュニケーション手段としても使用できるので防犯に役立つ。また、当該コミュニケーションの活発さを外部にアピールすることができるので、人目を気にしながら侵入しようとする者の警戒心を高め、侵入を思い留まらせる侵入抑止効果が得られる。
【００５５】
なお、人感センサ４３の感度領域を通路６側に有している場合を説明したが、筐体２１の頂部に設置される人感センサの感度方向は、その他の方向（例えば道路２方向）であってもよい。また、エントランスポールとは離間した位置（例えば玄関先など）に人感センサを設置すれば、エントランスポールから離れた場所への人の往来回数を検出し、エントランスポールに表示することができる。
【００５６】
また、往来回数を表示装置４１に表示して人の視覚を通じて周囲に報知する場合を説明したが、往来回数をその他の手段（例えば、音声／聴覚など）によって周囲に報知しても構わない。
【００５７】
また、往来回数をカウントする場合に限らず、人の往来を検知してから一定時間毎にカウンター値を初期値からデクリメントしていく、いわゆるカウントダウンを行うようにしても構わない。これによっても、人の往来が検知されれば、カウントダウンが開始されることにより、人目を気にしながら侵入しようとする者の警戒心を高め、侵入を思い留まらせる侵入抑止効果が得られる。
（第３の実施の形態）
第１及び第２の実施の形態では、筐体２１内に仕切壁２８が配置され、仕切壁２８で分割された筐体２１内の各空間に配置された複数の光源（２４、２５）を有するエントランスポール（１１、１１ｂ、１１ｃ）について説明したが、筐体２１内の空間を２以上の空間に分割せずに単一の光源を配置しても構わない。
【００５８】
第３の実施の形態に係わるエントランスポール１１ｄは、図１のエントランスポール１１と同様に、住宅１の戸外であって、敷地３に隣接する道路２及び住宅１への往来に使用する通路６に同時に面する敷地３の一端に設置されている。
【００５９】
また、エントランスポール１１ｄは、図２のエントランスポール１１と同様に、道路２に面する第１の側面及び通路６に面する第２の側面を有する筐体２１と、筐体２１の第１の側面に設けられた道路側ハーフミラー２２と、筐体２１の第２の側面に設けられた通路側ハーフミラー２３とを備える。
【００６０】
次に、図８（ａ）を参照して、図２のＡ−Ａ切断面におけるエントランスポール１１ｄの内部構成を説明する。エントランスポール１１ｄは、図３（ａ）のエントランスポール１１に比べて、筐体２１内の空間を仕切る仕切壁２８や第２の光源２５を備えていない。また、道路側ハーフミラー２２も一体物として形成されている。その他、表札板２６及びインターホン子機２７は、エントランスポール（１１、１１ｂ、１１ｃ）と同じである。第１の光源２４ｃは、筐体２１の底面からインターホン子機２７まで、筐体２１内の空間全体に配置されている。
【００６１】
次に、図８（ｂ）及び図８（ｃ）を参照して、第１の光源２４をオン状態（点灯状態）とオフ状態（消灯状態）でそれぞれ切換えた場合における道路側ハーフミラー２２の外観の変化を説明する。
【００６２】
図８（ｂ）は、第１の光源２４をオフ状態とした場合を示す。この場合、道路側ハーフミラー２２は、例えば日中において筐体２１の外部に居る人や物を映し出し、表札板２６に記載された画像を映写しない。
【００６３】
図８（ｃ）は、第１の光源２４をオン状態とした場合を示す。この場合、道路側ハーフミラー２２は、例えば夜間において第１の光源２４が放つ光を透過させてエントランスポール１１の周囲を照明することができる。また同時に、表札板２６に記載された画像（例えば、居住者の名「鈴木」）を映写することができる。このように、第１の光源２４のオン／オフを切換えることにより、道路側ハーフミラー２２を鏡として使用したり、照明装置の一部として使用したりすることを自由に制御し、且つ、表札板２６に記載された居住者の名を表示させたり、伏せたりすることを自由に制御することができる。
【００６４】
第３の実施の形態においては、仕切壁２８や第２の光源２５を備えていないので、表札板２６の非表示／表示と、鏡／照明装置との制御を単一の光源２４のオン／オフによって同時に実施することができる。
【００６５】
なお、図８（ｂ）及び図８（ｃ）では、道路側ハーフミラー２２の外観変化を説明したが、通路側ハーフミラー２３についても同様な外観変化が生じる。
【００６６】
また、図８に示したエントランスポールの構成から、表札板２６及びインターホン子機２７などを取り除いても構わない。この場合、エントランスポールとしてのみならず、筐体２１内の光源の点灯／消灯によって、筐体２１側面に設置されたハーフミラー２２、２３を鏡／照明装置として切換えて使用することができるミラーシステムとしても使用が可能である。すなわち、住宅１への往来に使用する通路６に面した位置に限らず、住宅１の戸外であって住宅１に隣接する道路２に面する敷地３の一端にミラーシステムを設置しても構わない。これにより、ミラーシステムは、第１の光源２４ｃの点灯及び消灯によって筐体２１の内から外へ透過する光の強度と調整することができるので、ハーフミラー２２、２３を鏡として使用する場合とそうではない場合（例えば、照明部材）とを使い分けることができる。よって、悪意の侵入者に対してはその警戒心を高め、善意の訪問者に対して周囲を照明して不快感を与えないミラーシステムを提供することができる。
【００６７】
更に、図５に示したように、筐体２１の総ての側面にハーフミラーを設けてもよい。これにより、反射面が増えるので侵入者の警戒心を更に高めることができる。
（その他の実施の形態）
上記のように、本発明は、３つの実施形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００６８】
総てのハーフミラーの内側に拡散部材を設けてもよい。これにより、光源からの強い光が緩和され、ミラー全体が明るく見える。
【００６９】
例えば、筐体２１の頂部など筐体２１の外部に、他の照明装置を備え付けてもよい。外部の照明装置を点灯することにより、例えば夜間において筐体２１の内部が外部よりも暗くなるので、ハーフミラーを筐体２１の内側から外側へ透過する光の強度が、外側から外側へ反射する光の強度よりも弱くなる。よって、ハーフミラーは、筐体２１の外部に居る人や物を映し出す鏡として使用することができる。また同時に、他の照明装置によって、周囲を照明することもできる。よって、夜間であっても、足下を照明しながら、ハーフミラーを鏡として使用することが可能となる。
【００７０】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００７１】
【図１】本発明の第１の実施の形態に係わるエントランスポールシステムが備えるエントランスポール１１の設置例を示す平面図である。
【図２】図１のエントランスポール１１及びその周辺を部分的に拡大した平面図である。
【図３】図３（ａ）は、図２のエントランスポール１１のＡ−Ａ切断面に沿った断面図である。図３（ｂ）〜図３（ｄ）は、図２の道路側ハーフミラー２２が設置されたエントランスポール１１の第１の側面を示す側面図であって、図３（ｂ）は第１の光源２４がオフ、第２の光源２５がオンの状態を示し、図３（ｃ）は第１の光源２４及び第２の光源２５がオフの状態を示し、図３（ｄ）は第１の光源２４及び第２の光源２５がオンの状態を示す。
【図４】第１の実施の形態に係わるエントランスポールシステムの全体構成を示す模式図である。
【図５】第１の変形例に係わるエントランスポール１１ｂの構成を示す平面図である。
【図６】第２の変形例に係わるエントランスポールシステムの全体構成を示す模式図である。
【図７】図７（ａ）は、図２のＢ−Ｂ切断面に沿ったエントランスポール１１ｃの断面図である。図７（ｂ）は、図２の通路側ハーフミラー２３が設置されたエントランスポール１１ｃの第２の側面を示す側面図であって、第１の光源２４及び第２の光源２５を共にオン状態にした場合を示す。
【図８】図８（ａ）は、図２のＡ−Ａ切断面に沿ったエントランスポール１１ｄの断面図である。図８（ｂ）及び図８（ｃ）は、図２の道路側ハーフミラー２２が設置されたエントランスポール１１ｄの第１の側面を示す側面図であって、（ｂ）は第１の光源２４ｃをオフ状態にした場合を示し、（ｃ）は第１の光源２４ｃをオン状態にした場合を示す。
【符号の説明】
【００７２】
１…住宅
２…道路
３…敷地
４…玄関扉
５…生垣
６…通路
１１、１１ｂ、１１ｃ、１１ｄ…エントランスポール
２１…筐体
２２…道路側ハーフミラー
２２ａ…第１の道路側ハーフミラー
２２ｂ…第２の道路側ハーフミラー
２３…通路側ハーフミラー
２３ａ…第１の通路側ハーフミラー
２３ｂ…第２の通路側ハーフミラー
２４、２４ｂ、２４ｃ…第１の光源
２５…第２の光源
２６…表札板
２７…インターホン子機
２８…仕切壁
３１…マイク付スピーカ
３２…呼び鈴
３５…インターホン親機
３６、３６ｂ…表札スイッチ
３７、３７ｂ…足下灯スイッチ（第１の電源スイッチ）
３８…スイッチ操作部
３９…計時部
４１…表示装置
４２…往来カウント部
４３…人感センサ
４５、４６…ハーフミラー
【図１】
2009235721.tif 000003
【図２】
2009235721.tif 000004
【図３】
2009235721.tif 000005
【図４】
2009235721.tif 000006
【図５】
2009235721.tif 000007
【図６】
2009235721.tif 000008
【図７】
2009235721.tif 000009
【図８】
2009235721.tif 000010